【事件の表示】
　平成　５年特許願第５０５１７４号「多重モード音声コーダのためのエラー保護」拒絶査定に対する審判事件〔平成　５年　３月１８日国際公開、ＷＯ９３／０５５０２、平成　６年　３月３１日国内公表、特表平　６−５０２９３０、請求項の数（８）〕について、次のとおり審決する。
【結　論】
　原査定を取り消す。
　本願の発明は、特許すべきものとする。
【理　由】
第１　本願発明
　本願は、平成４年８月３日の出願であって、平成１１年１２月２日、平成１２年５月８日に補正されたものであるところ、その請求項１乃至８に係る発明（以下「本願発明」という。）は、次に掲げるものである。
「【請求項１】有声音および無声音のうちの１つである音声に関し、符号化された音声を生成する方法であって：
　有声音を表すデータ・ビットを含む音声近似信号を生成する段階；
　該音声近似信号をデジタル化音声と比較して、これらの差を表すエラー信号をもたらす段階；
　前記音声が有声音であるときのみ前記エラー信号に応答して長期予測子ベクトルをもたらす段階；
　前記音声が有声音であるときに前記エラー信号に応答して１つのコードブックからコードブックベクトルを選択し、前記音声が無声音であるときに前記エラー信号に応答して複数のコードブックを選択する段階；
　前記音声が有声音であるときに、前記有声音を表すデータ・ビットをより重要であるビットとより重要でないビットに分離する段階；
　前記より重要であるビットを第１メモリに記憶する段階；
　前記より重要でないビットを第２メモリに記憶する段階；
　より重要なビットを符号化して符号化データ・ビットを生成する符号化段階；
　符号化データ・ビットとより重要でないデータ・ビット合成して、符号化音声を生成する段階；
　から成る、ところの方法。
【請求項２】請求項１記載の方法であって、さらに：
　長期予測子ベクトルとコードブックベクトルとを加算し、励起子を生成し、もって音声近似信号が励起子に応答して生成される、ところの段階；
【請求項３】請求項１記載の方法であって、前記符号化段階が：
　最も重要なビットを連続的に符号化し、符号化すべき最初のビットで開始し、符号化すべき最後のビットで終了し、音声モードを決定するビットを符号化すべき前記最初のビット付近で符号化する段階；
　から成る、ところの方法。
【請求項４】有声音および無声音の１つから成る音声について符号化音声を生成する音声コーダであって、以下の要素から成るもの：
　励起を受信する入力と、有声音を表すデータ・ビットを含む音声近似信号をもたらす出力とを有するLPCフィルタ；
　該LPCフィルタの出力に結合して前記音声近似信号を受信する入力と、出力とを有する比較器であって、前記音声近似信号とデジタル化音声とを比較し、これらの差を表すエラー信号を該出力にもたらす比較器；
　該比較器に結合する入力と、出力とを有する長期予測子であって、前記音声が有声音であるときのみ該入力において受信したエラー信号に応答して長期予測子ベクトルを該出力にもたらす長期予測子；
　それぞれ入力と、コードブックベクトルをもたらす出力とを有する１つまたは複数のコードブックであって、前記音声が有声音であるときに前記エラー信号に応答して当該１つのコードブックから対応する１つのコードブックベクトルをもたらし、前記音声が無声音であるときに前記エラー信号に応答して当該複数のコードブックから対応する複数のコードブックベクトルをもたらす、コードブック；
　前記長期予測子出力および前記コードブックの各出力に結合した複数の入力を有する加算器であって、前記長期予測子ベクトルと前記各コードブックベクトルを加算して前記励起を生成し、前記LPCフィルタへ励起をもたらすための前記LPCフィルタ入力に結合した出力を有する加算器；ならびに
　前記音声近似信号を受信するために前記LPCフィルタ出力に結合したエンコーダ回路であって、
　前記音声近似信号を受信する入力と、出力とを有するデータ分離器であり、有声音である音声に応答して該有声音を表すデータ・ビットをより重要なビットとより重要でないビットとにデータ分離する分離器；
　前記のより重要なビットを受信するために前記データ分離器出力に結合する入力と、出力とを有する第１のメモリであり、前記のより重要なビットを格納する第１のメモリ；
　前記のより重要でないビットを受信するために前記データ分離器出力に結合する入力と、出力とを有する第２のメモリであり、前記のより重要でないビットを格納する第２のメモリ；
　前記第１のメモリ出力に結合した入力と、出力とを有する畳み込みエンコーダであり、前記のより重要なビットを符号化して該出力において被符号化データ・ビットをもたらす畳み込みエンコーダ；および
　前記被符号化データ・ビットを受信するために前記畳み込みエンコーダ出力に結合した第１入力と、前記のより重要でないビットを受信するために前記第２のメモリの出力に結合した第２入力と、出力とを有するインターリーバであり、前記被符号化データ・ビットと前記のより重要でないビットとを組合せて符号化音声をもたらすインターリーバ；
　から成るエンコーダ回路。
【請求項５】請求項４記載の音声コーダであって、前記エンコーダが多重レート畳み込みエンコーダである、ところの音声コーダ。
【請求項６】請求項４記載の音声コーダであって、前記エンコーダがレート１／３エンコーダからレート１／２エンコーダに変化する畳み込みエンコーダである、ところの音声コーダ。
【請求項７】請求項４記載の音声コーダであって、前記のより重要なビットが音声モードを決定するビットを含む、ところの音声コーダ。
【請求項８】請求項４記載の音声コーダであって、前記エンコーダが、最も重要なビットを連続的に符号化し、符号化すべき最初のビットで開始し、符号化すべき最後のビットで終了し、音声モードを決定するビットを符号化すべき前記最初のビット付近で符号化する、ところの音声コーダ。」
　
第２　刊行物発明、及び、本願発明と刊行物発明との対比・検討
１　刊行物
　当審の拒絶理由で引用した刊行物１ないし４は次に掲げるものである。
　刊行物１：特開平３−１７５８３０号公報
　刊行物２：特開昭６３−５９１２７号公報
　刊行物３：特開平１−１７７２２５号公報
　刊行物４：特開平３−５０２１５２号公報
　刊行物１には、ディジタル音声伝送装置において、保護すべき多重パルス符号化音声の知覚的に有意のビットを選び、伝送データをランダム誤差から保護する為に選ばれたビットを埋込み積分コードで符号化した選ばれたビットと多重パルス符号化音声の選ばれなかったビットとを組合せ、伝送する点が記載され、刊行物２には、入力音声信号の種類に応じて伝送する音声パラメータの種類及びビット数を切り換える点が記載され、刊行物３には、音声符号化装置において、符号化された音声パラメータの重要度に応じて、聴感上重要なパラメータについては誤り訂正符号と共に伝送し、比較的重要でないパラメータについては誤り訂正なしで伝送する点が記載され、刊行物４には、誤り訂正符号として１／３或いは１／２畳み込みコードを用いる点について記載されている。
　
２　本願発明と刊行物発明との対比・検討
　本願発明と刊行物１ないし４の発明とを対比・検討すると、刊行物１ないし４の発明は、本願発明における次に掲げる主要な事項を具備していないし、刊行物１ないし４には、この主要な事項を示唆する記載もなされていない。
「音声が有声音であるときに、前記有声音を表すデータ・ビットをより重要であるビットとより重要でないビットに分離する段階；前記より重要であるビットを第１メモリに記憶する段階；前記より重要でないビットを第２メモリに記憶する段階」（請求項１ないし３）
「音声近似信号を受信する入力と、出力とを有するデータ分離器であり、有声音である音声に応答して該有声音を表すデータ・ビットをより重要なビットとより重要でないビットとにデータ分離する分離器；前記のより重要なビットを受信するために前記データ分離器出力に結合する入力と、出力とを有する第１のメモリであり、前記のより重要なビットを格納する第１のメモリ；前記のより重要でないビットを受信するために前記データ分離器出力に結合する入力と、出力とを有する第２のメモリであり、前記のより重要でないビットを格納する第２のメモリ」（請求項４ないし８）
　そして、上記主要な事項により、本願発明は、明細書記載の顕著な効果を奏するものである。
　したがって、本願発明は、刊行物１ないし４の発明に基いて当業者が容易に発明をすることができたものということができない。
　
第３　むすび
　以上、本願発明は、刊行物に記載された発明に基いて当業者が容易に発明をすることができたものということができない。
　また、他に本願発明に係る特許を拒絶する理由を発見しない。
　よって、結論のとおり審決する。